(57)【特許請求の範囲】
【請求項１】
放出口において放出する紙葉類を第１の収納部に収納し、投入口において投入された紙葉類を前記第１の収納部とは異なる第２の収納部に収納する紙葉類処理装置において、
前記放出口、前記投入口、前記第１の収納部、および前記第２の収納部を結ぶ紙葉類搬送路に沿って、紙葉類を搬送する搬送部と、
前記搬送部が前記紙葉類搬送路に沿って搬送している紙葉類について、真券であるか否かを識別する識別部と、を備え、
前記紙葉類搬送路には、前記識別部において真券であると識別された紙葉類を保留する保留路が設けられ、
前記搬送部は、前記第１の収納部から繰り出された紙葉類が、前記識別部において真券であると識別されなかったとき、その時点において、前記保留路に保留されている紙葉類、および今回真券であると識別されなかった紙葉類を前記第２の収納部に搬送して収納する、紙葉類処理装置。
【請求項２】
前記第２の収納部に収納した紙葉類毎に、その紙葉類の属性を対応付けた属性情報を記憶する属性記憶部を備えた請求項１に記載の紙葉類処理装置。
【請求項３】
前記識別部は、前記紙葉類搬送路に沿って搬送されている紙葉類に記載されている記番号を読み取り、
前記属性記憶部は、前記識別部が読み取った紙葉類の記番号を前記属性情報の１つとして記憶する、請求項２に記載の紙葉類処理装置。
【請求項４】
前記識別部は、前記搬送部が前記紙葉類搬送路に沿って搬送している紙葉類について、真券、偽券、または識別不明券のいずれであるかを識別し、
前記属性記憶部は、前記識別部において識別された、真券、偽券、または識別不明券を前記属性情報の１つとして記憶する、請求項２、または３に記載の紙葉類処理装置。
【請求項５】
前記属性記憶部が記憶している前記属性情報を出力する出力部を備えた、請求項２〜４のいずれかに記載の紙葉類処理装置。
【発明の詳細な説明】
【技術分野】
【０００１】
この発明は、紙幣や金券等の紙葉類の真偽を識別し、その識別結果に基づいて紙葉類を処理する技術に関する。
【背景技術】
【０００２】
従来、本体に投入された紙幣（入金紙幣）を、放出する紙幣（放出紙幣）として循環利用しない（リサイクル利用しない）紙幣処理装置がある（特許文献１、２等参照）。この種の紙幣処理装置は、特許文献１、２等に記載されているように、本体に投入された入金紙幣を入金用紙幣収納部に収納し、つり銭等として放出する放出紙幣を出金用紙幣収納部から繰り出す構成である。このため、入金紙幣を収納する収納部を金種別に切り替える制御を行う必要がないので、入金紙幣の搬送制御が簡単になる。
【０００３】
また、紙幣処理装置は、入金紙幣が真券であるか否かを識別する識別部を備え、この識別において真券であると識別されなかった入金紙幣を投入者に返却する構成である。
【先行技術文献】
【特許文献】
【０００４】
【特許文献１】特開２００９−２６５８４４号公報
【特許文献２】特開２０１３−  １２２５７号公報
【発明の概要】
【発明が解決しようとする課題】
【０００５】
しかしながら、特許文献１、２に記載された装置は、出金用紙幣収納部から繰り出される紙幣に偽券が含まれていないことを前提にした構成である。すなわち、特許文献１、２に記載された装置は、出金用紙幣収納部から繰り出され、識別部において真券であると識別されなかった紙幣を処理する構成を備えていない。
【０００６】
したがって、特許文献１、２に記載された装置では、出金用紙幣収納部から繰り出された紙幣であって、識別部において真券であると識別されなかった紙幣を、どのように処理し、管理するかが問題になる。
【０００７】
この発明の目的は、装置本体に投入された紙葉類を収納しない収納部から繰り出された紙葉類であって、識別部において真券であると識別されなかった紙葉類を処理し、管理することができる技術を提供することにある。
【課題を解決するための手段】
【０００８】
この発明の紙葉類処理装置は、上記目的を達するために以下のように構成している。
【０００９】
この紙葉類処理装置は、放出口において放出する紙葉類を第１の収納部に収納し、投入口において投入された紙葉類を第１の収納部とは異なる第２の収納部に収納する。紙葉類は、例えば、紙幣や金券である。また、放出口と、投入口とは、個別に設けられていてもよいし、共通であってもよい。
【００１０】
搬送部は、放出口、投入口、第１の収納部、および第２の収納部を結ぶ紙葉類搬送路に沿って、紙葉類を搬送する。すなわち、搬送部は、放出口、投入口、第１の収納部、および第２の収納部のいずれかから、別のいずれかの場所に、紙葉類を搬送することができる。
【００１１】
また、識別部は、搬送部が紙葉類搬送路に沿って搬送している紙葉類について、真券であるか否かを識別する。識別部は、紙葉類を真券であると識別できた、または真券であると識別できなかった、のどちらかを識別結果とする構成（識別結果が２値である構成）であってもよいし、紙葉類を真券であると識別できた、紙葉類を偽券であると識別できた、または真券であるとも偽券であるとも識別できなかった、のいずれかを識別結果とする構成（識別結果が３値である構成）であってもよい。
【００１２】
さらに、紙葉類搬送路には、前記識別部において真券であると識別された紙葉類を保留する保留路が設けられ、搬送部は、第１の収納部から繰り出された紙葉類が、識別部において真券であると識別されなかったとき、その時点において、保留路に保留されている紙葉類、および今回真券であると識別されなかった紙葉類を第２の収納部に搬送して収納する。したがって、投入口において装置本体に投入された紙葉類を収納しない第１の収納部から繰り出された紙葉類であって、識別部において真券であると識別されなかった紙葉類が、第２の収納部に収納される。
【００１３】
このように、紙葉類処理装置は、第１の収納部から繰り出された紙葉類であって、識別部において真券であると識別されなかった紙葉類（すなわち、偽券、または偽券の疑いがある紙葉類）を、放出口から放出することがなく、偽券、または偽券の疑いがある紙葉類を適正に管理することができる。また、紙葉類処理装置は、偽券、または偽券の疑いがある紙葉類を放出口において放出しないので、偽券が流通するのを防止できる。
【００１４】
また、紙葉類処理装置は、第２の収納部に収納した紙葉類毎に、その紙葉類の属性を対応付けた属性情報を記憶する属性記憶部を備えた構成にしてもよい。属性情報としては、その紙葉類に印刷されている記番号や、識別部における識別結果、投入口において投入された紙葉類であるか、第１の収納部から繰り出された紙葉類であるかを示す紙葉類の素性等を示す情報にすればよい。また、記番号を属性にする場合には、記番号を読み取る機能を識別部に設ければよい。
【００１５】
また、紙葉類処理装置は、属性記憶部が記憶している属性情報を出力する出力部を備えた構成にしてもよい。
【００１６】
また、紙葉類処理装置は、識別部において真券であると識別された紙葉類を重ねた状態で保留する保留路を、紙葉類搬送路に設けた構成にしてもよい。このように構成すれば、投入口において投入された紙葉類や、第１の収納部から繰り出した紙葉類を紙葉類搬送路に設けた保留路で一時的に保留することができる。
【００１７】
さらに、紙葉類搬送装置は、以下に示す構成であっても、偽券、または偽券の疑いがある紙葉類を適正に管理することができる。
紙葉類処理装置は、第１の収納部に収納している紙葉類を放出口において放出する構成であり、放出口と第１の収納部とを結ぶ紙葉類搬送路に沿って、紙葉類を搬送する搬送部と、搬送部が紙葉類搬送路に沿って搬送している紙葉類について、真券であるか否かを識別する識別部と、を備え、搬送部は、第１の収納部から繰り出され、識別部において真券であると識別されなかった紙葉類を、第１の収納部とは異なる第２の収納部に搬送して収納するとともに、第２の収納部に収納した紙葉類毎に、その紙葉類の属性を対応付けた属性情報を記憶する属性記憶部を備え、識別部は、搬送部が前記紙葉類搬送路に沿って搬送している紙葉類について、真券、偽券、または識別不明券のいずれであるかを識別し、属性記憶部は、識別部において識別された、真券、偽券、または識別不明券を属性情報の１つとして記憶する。
【発明の効果】
【００１８】
この発明によれば、偽券、または偽券の疑いがある紙葉類を適正に処理し、管理することができる。
【図面の簡単な説明】
【００１９】
【図１】紙幣処理装置の主要部の構成を示すブロック図である。
【図２】紙幣処理装置の内部構造を示す概略図である。
【図３】属性記憶部に記憶している紙幣の属性情報を示す図である。
【図４】上位装置である券売機の動作を示すフローチャートである。
【図５】紙幣処理装置が行う入金紙幣受付処理を示すフローチャートである。
【図６】紙幣処理装置が行う紙幣返却処理を示すフローチャートである。
【図７】紙幣処理装置が行う紙幣収納処理を示すフローチャートである。
【図８】紙幣処理装置が行う紙幣放出処理を示すフローチャートである。
【発明を実施するための形態】
【００２０】
以下、この発明の実施形態である紙幣処理装置について説明する。
【００２１】
図１は、この例にかかる紙幣処理装置の主要部の構成を示すブロック図である。図２は、この例にかかる紙幣処理装置の内部構造（特に、紙幣を搬送する搬送路）を示す概略図である。紙幣処理装置１は、図１に示すように、制御部２と、搬送部３と、識別部４と、偽券記番号記憶部５と、属性記憶部６と、入出力部７と、を備えている。この紙幣処理装置１が、この発明にかかる紙葉類処理装置に相当する。
【００２２】
また、紙幣処理装置１は、図２に示すように、紙幣処理装置１の正面（図２における左側）には、紙幣投入口１１と、紙幣返却／放出口１２を設けている。また、紙幣処理装置１の本体内部には、第１の出金紙幣収納部１３、第２の出金紙幣収納部１４、および入金紙幣収納部１５が設けられている。第１の出金紙幣収納部１３、第２の出金紙幣収納部１４、および入金紙幣収納部１５は、紙幣処理装置１本体に対して着脱自在であってもよいし、紙幣処理装置１本体に固定されていてもよい。
【００２３】
第１の出金紙幣収納部１３には、予め定めた金種Ｘの紙幣が収納される。第２の出金紙幣収納部１４には、予め定めた金種Ｙの紙幣が収納される。金種Ｘと、金種Ｙとは、同じ金種であってもよいし、異なる金種であってもよい。この例では、金種Ｘを千円紙幣、金種Ｙを５千円紙幣として説明する。また、入金紙幣収納部１５には、金種に関係なく紙幣投入口１１において、装置本体に投入された紙幣が収納される。また、入金紙幣収納部１５には、第１の出金紙幣収納部１３や、第２の出金紙幣収納部１４から繰り出した紙幣が収納されることもある。
【００２４】
紙幣投入口１１が、この発明で言う投入口に相当し、紙幣返却／放出口１２が、この発明で言う放出口に相当する。また、第１の出金紙幣収納部１３、および第２の出金紙幣収納部１４が、この発明で言う第１の収納部に相当し、入金紙幣収納部１５がこの発明で言う第２の収納部に相当する。
【００２５】
また、紙幣処理装置１本体内部には、紙幣投入口１１、紙幣返却／放出口１２、第１の出金紙幣収納部１３、第２の出金紙幣収納部１４、および入金紙幣収納部１５を結ぶ紙幣搬送路２１〜２９が形成されている。接続点Ａは、３つの紙幣搬送路２１、２２、２８が接続される位置である。接続点Ｂは、３つの紙幣搬送路２６、２７、２８が接続される位置である。接続点Ｃは、３つの紙幣搬送路２２、２３、２９が接続される位置である。接続点Ｄは、３つの紙幣搬送路２３、２４、２５が接続される位置である。また、詳細については後述するが、紙幣搬送路２４が、この発明で言う保留路として機能する。
【００２６】
紙幣搬送路２１は、紙幣投入口１１と接続点Ａとを結ぶ。紙幣搬送路２２は、接続点Ａと接続点Ｃとを結ぶ。紙幣搬送路２３は、接続点Ｃと接続点Ｄとを結ぶ。紙幣搬送路２４は、一端が接続点Ｄに接続され、他端が開放端である。紙幣搬送路２５は、接続点Ｄと入金紙幣収納部１５とを結ぶ。紙幣搬送路２６は、接続点Ｂと第１の出金紙幣収納部１３とを結ぶ。紙幣搬送路２７は、接続点Ｂと第２の出金紙幣収納部１４とを結ぶ。紙幣搬送路２８は、接続点Ｂと接続点Ａとを結ぶ。紙幣搬送路２９は、接続点Ｃと紙幣返却／放出口１２とを結ぶ。接続点Ａ〜Ｄには、紙幣の搬送経路を切り替えるフラッパ（不図示）が設けられている。また、紙幣搬送路２１〜２９の複数の位置に、紙幣の有無を検知するセンサ（不図示）が配置されている。
【００２７】
図１に戻って、制御部２は、紙幣処理装置１本体各部の動作を制御する。
【００２８】
搬送部３は、紙幣搬送路２１〜２９に沿って紙幣を搬送する。また、搬送部３は、紙幣搬送路２１〜２９に沿って搬送している紙幣の搬送先（搬送経路）を制御する。紙幣搬送路２１〜２９は、例えば紙幣を挟持する一対の搬送ローラを、搬送方向に複数並べた構成である。一対の搬送ローラは、一方がモータ等の駆動源によって回転駆動される駆動ローラであり、他方が駆動ローラの回転にともなって回転する従動ローラである。搬送部３は、モータ等の駆動源の駆動制御によって駆動ローラの回転を制御するとともに、接続点Ａ〜Ｄに設けたフラッパを制御することによって、紙幣の搬送経路を制御する。
【００２９】
識別部４は、紙幣搬送路２２に沿って搬送されている紙幣が、真券、偽券、または真券であるか偽券であるか識別できない識別不明券のいずれであるかを識別する。また、識別部４は、紙幣の金種も識別する。偽券記番号記憶部５は、すでに発見された偽券の記番号を記憶している。識別部４は、紙幣の光学パターン、磁気パターン、および記番号を読み取り、その紙幣が真券、偽券、または識別不明券のいずれであるかを識別する。識別部４は、紙幣から読み取った記番号が偽券記番号記憶部５に記憶されていれば、この紙幣を偽券と識別する。また、識別部４は、紙幣から読み取った光学パターン、および磁気パターンと、予め登録されている真券の光学パターン、および磁気パターンと、の類似度によって、その紙幣が真券、偽券、または識別不明券のいずれであるかを識別する。
【００３０】
属性記憶部６は、入金紙幣収納部１５に収納されている紙幣毎に、その紙幣の属性を対応付けた属性情報を記憶する。図３は、属性記憶部に記憶している紙幣の属性情報を示す図である。各紙幣の属性情報は、収納順位、金種、記番号、素性、識別結果を対応付けたものである。
【００３１】
収納順位は、入金紙幣収納部１５に収納された順番を示す情報である。
【００３２】
金種は、その紙幣について識別部４で識別された金種を示す情報である。金種は、例えば１千円、５千円、１万円等である。この例では、上述したように、金種Ｘが千円、金種Ｙが５千円であり、金種Ｚが１万円である。識別部４で金種が識別できなかった紙幣の金種は、金種不明にすればよい。
【００３３】
記番号は、識別部４が読み取った、その紙幣に印刷されている記番号を示す情報である。
【００３４】
素性は、その紙幣が投入口から投入された紙幣であるか、第１の出金紙幣収納部１３から繰り出された紙幣であるか（出金Ｆ）、または第２の出金紙幣収納部１４から繰り出された紙幣であるか（出金Ｓ）を示す情報である。
【００３５】
識別結果は、識別部４がその紙幣について識別した識別結果を示す情報である。識別結果は、真券、偽券、または識別不明券である。
【００３６】
入出力部７は、上位装置との間で入出力を行うインタフェースである。上位装置は、この紙幣処理装置１を用いた機器である。この例では、上位装置を、乗車券を販売する券売機とし、紙幣処理装置１の動作を説明する。
【００３７】
なお、券売機は、この例にかかる紙幣処理装置１に加えて、硬貨を処理する硬貨処理装置や、乗車券を発券する発券装置等を有している。硬貨処理装置、および発券装置については公知であるものを利用すればよいので、ここでは詳細な説明を省略する。
【００３８】
次に、この例にかかる紙幣処理装置１の動作について説明する。上位装置である券売機は、第１の出金紙幣収納部１３、第２の出金紙幣収納部１４、および入金紙幣収納部１５を紙幣処理装置１に装着した状態で運用される。
【００３９】
図４は、上位装置である券売機の動作を示すフローチャートである。券売機は、利用者による貨幣（紙幣、または硬貨）の投入の有無（ｓ１）、取消ボタンの押下の有無（ｓ２）、および発券ボタンの押下の有無（ｓ３）を繰り返し判定している。
【００４０】
券売機は、貨幣が投入されると、投入された貨幣を受け付ける入金貨幣受付処理を行い（ｓ４）、その後、ｓ１〜ｓ３の判定を繰り返す。ｓ４では、投入された貨幣が紙幣であれば、紙幣処理装置１が入金紙幣受付処理を行い、投入された貨幣が硬貨であれば、図示していない硬貨処理装置が入金硬貨受付処理を行う。
【００４１】
図５は、ｓ４で紙幣処理装置が行う入金紙幣受付処理を示すフローチャートである。紙幣処理装置１は、搬送部３が紙幣投入口１１において投入された紙幣の搬送を開始する（ｓ１１）。搬送部３は、まず紙幣投入口１１に投入された紙幣を接続点Ｃへ搬送する。具体的には、紙幣搬送路２１に沿って紙幣投入口１１から接続点Ａへ搬送し、さらに紙幣搬送路２２に沿って接続点Ａから接続点Ｃへ搬送する。
【００４２】
紙幣処理装置１は、識別部４において、紙幣搬送路２２に沿って搬送されている紙幣の真偽や金種を識別する識別処理を行う（ｓ１２）。識別部４は、紙幣搬送路２２に沿って搬送されている紙幣の光学パターン、磁気パターン、および記番号を読み取る。識別部４は、読み取った光学パターン、および磁気パターンのそれぞれについて記憶している真券の光学パターン、および磁気パターンとの類似度を算出する。また、識別部４は、読み取った記番号と一致する記番号が偽券記番号記憶部５に記憶されているか否かを判定する。
【００４３】
識別部４は、算出した光学パターンの類似度が予め定めた第１閾値を超えているとともに、算出した磁気パターンの類似度が予め定めた第３閾値を超えており、さらに、読み取った記番号と一致する記番号が偽券記番号記憶部５に記憶されていなければ、真券であると識別する。
また、識別部４は、算出した光学パターンの類似度が予め定めた第２閾値（第１閾値＞第２閾値）を超えていない、算出した磁気パターンの類似度が予め定めた第４閾値（第３閾値＞第４閾値）を超えていない、および読み取った記番号と一致する記番号が偽券記番号記憶部５に記憶されている、のすくなくともいずれか１つの条件を満足した場合、偽券であると識別する。
さらに、識別部４は、上記の識別で真券、または偽券のいずれであるとも識別できない紙幣については、識別不明券であると識別する。
【００４４】
紙幣処理装置１は、識別部４における識別結果が真券でなければ（識別不明券、または偽券であれば）、この紙幣を紙幣返却／放出口１２に搬送し（ｓ１３、１４）、本処理を終了する。ｓ１４では、搬送部３が、接続点Ｃに設けたフラッパを制御し、紙幣搬送路２２に沿って接続点Ｃに搬送されてきた紙幣を、紙幣搬送路２９に沿って搬送し、紙幣返却／放出口１２に放出する。これにより、利用者が紙幣投入口１１に投入した紙幣であって、識別部４で真券であると識別されなかった紙幣は、当該利用者に返却される。
【００４５】
また、紙幣処理装置１は、識別部４における識別結果が真券であると、保留路である紙幣搬送路２４に紙幣を保留しているか否かを判定する（ｓ１３、ｓ１５）。紙幣搬送路２４の搬送方向の長さは、紙幣の搬送方向の長さよりも長い。
【００４６】
紙幣処理装置１は、紙幣搬送路２４に紙幣を保留していなければ、今回識別した紙幣を保留路である紙幣搬送路２４に搬送し（ｓ１７）、本処理を終了する。これにより、紙幣搬送路２４に、１枚の紙幣が保留される。また、紙幣処理装置１は、紙幣搬送路２４に紙幣を保留していると、紙幣搬送路２４に保留している紙幣と、今回真券であると識別した紙幣とを重ね合わせる重ね合わせ処理を行う（ｓ１６）。そして、紙幣処理装置１は、ｓ１６で重ね合わせた紙幣を保留路である紙幣搬送路２４に搬送し（ｓ１７）、本処理を終了する。これにより、紙幣搬送路２４に、複数枚の紙幣が重ね合わせた状態で保留される。
【００４７】
ここで、保留路である紙幣搬送路２４への紙幣の搬送について説明を追記する。
【００４８】
まず、紙幣搬送路２４に紙幣が保留されていなかったときの紙幣の搬送経路について説明する。搬送部３は、識別部４で真券であると識別された紙幣を紙幣搬送路２２に沿って接続点Ｃに搬送し、接続点Ｃに達した紙幣を紙幣搬送路２９に沿って搬送する。搬送部３は、紙幣搬送路２９に沿って搬送している紙幣の後端が、接続点Ｃよりも紙幣返却／放出口１２側に達すると、紙幣の搬送方向を逆転させるとともに、接続点Ｃに設けたフラッパを制御して、紙幣搬送路２９に沿って接続点Ｃに搬送されてきた紙幣を、紙幣搬送路２３に沿って搬送する。さらに、搬送部３は、接続点Ｄに設けたフラッパを制御して、紙幣搬送路２３に沿って接続点Ｄに搬送されてきた紙幣を、紙幣搬送路２４に沿って搬送し、この紙幣の後端が接続点Ｄを越えると、紙幣の搬送を停止する。
【００４９】
また、紙幣搬送路２４に紙幣が保留されていた場合は、搬送部３は、識別部４で今回真券であると識別された紙幣を紙幣搬送路２２に沿って接続点Ｃに搬送する。また、搬送部３は、紙幣搬送路２４に保留している全ての紙幣を、紙幣搬送路２４、紙幣搬送路２３に沿って接続点Ｃに搬送する。このとき搬送部３は、今回真券であると識別された紙幣（紙幣搬送路２２に沿って搬送している紙幣）の先端と、紙幣搬送路２４に保留していた紙幣（紙幣搬送路２３に沿って搬送している紙幣）の先端と、が接続点Ｃで重なるように搬送タイミングを調整している。搬送部３は、紙幣搬送路２４に保留していた紙幣と、今回真券であると識別した紙幣とを接続点Ｃで重ね、紙幣搬送路２９に沿って紙幣返却／放出口１２側に搬送する。搬送部３は、紙幣搬送路２９に沿って搬送している紙幣（接続点Ｃで重ね合わせた複数毎の紙幣）の後端が、接続点Ｃよりも紙幣返却／放出口１２側に達すると、紙幣の搬送方向を逆転させるとともに、接続点Ｃに設けたフラッパを制御して、紙幣搬送路２９に沿って接続点Ｃに搬送されてきた紙幣（接続点Ｃで重ね合わせた複数毎の紙幣）を、紙幣搬送路２３に沿って搬送する。さらに、搬送部３は、接続点Ｄに設けたフラッパを制御して、紙幣搬送路２３に沿って接続点Ｄに搬送されてきた紙幣（接続点Ｃで重ね合わせた複数毎の紙幣）を、紙幣搬送路２４に沿って搬送し、この紙幣（接続点Ｃで重ね合わせた複数毎の紙幣）の後端が接続点Ｄを越えると、紙幣の搬送を停止する。
【００５０】
なお、硬貨処理装置の入金硬貨受付処理については、ここでは説明を省略する。
【００５１】
また、券売機は、ｓ２で利用者によって取消ボタンが押下されたと判定すると、入金貨幣返却処理を行い（ｓ５）、ｓ１に戻る。ｓ５では、紙幣処理装置１が紙幣を利用者に返却する紙幣返却処理を行い、図示していない硬貨処理装置が硬貨を利用者に返却する硬貨返却処理を行う。
【００５２】
図６は、ｓ５で紙幣処理装置が行う紙幣返却処理を示すフローチャートである。紙幣処理装置１は、紙幣搬送路２４に保留している紙幣の有無を判定する（ｓ２１）。紙幣処理装置１は、紙幣搬送路２４に保留している紙幣が無ければ、利用者に返却する紙幣がないと判断し、本処理を終了する。
【００５３】
また、紙幣処理装置１は、紙幣搬送路２４に保留している紙幣があると、この保留している全ての紙幣を、搬送部３が、紙幣搬送路２４、紙幣搬送路２３に沿って接続点Ｃに搬送する。このとき、紙幣搬送路２４に保留している紙幣が複数枚であれば、搬送部３は、これらの紙幣を重ね合わせた状態で搬送する。搬送部３は、接続点Ｃに設けたフラッパを制御し、紙幣搬送路２３に沿って接続点Ｃに搬送されてきた紙幣を、紙幣搬送路２９に沿って搬送し、紙幣返却／放出口１２に放出し（ｓ２２）、本処理を終了する。これにより、利用者が取り消しボタンを押下する前に、紙幣投入口１１に投入した紙幣が当該利用者に返却される。
【００５４】
なお、硬貨処理装置の硬貨返却処理については、ここでは説明を省略する。
【００５５】
また、券売機は、ｓ３で利用者によって発券ボタンが押下されたと判定すると、入金貨幣を収納する入金貨幣収納処理を行うとともに（ｓ６）、押下された発券ボタンに応じた乗車券を発券する発券処理を行う（ｓ７）。ｓ６、ｓ７にかかる処理の順番はどちらが先であってもよいし、同時に行ってもよい。
【００５６】
ｓ６では、紙幣処理装置１が紙幣搬送路２４に保留している紙幣を入金紙幣収納部１５に収納する入金紙幣収納処理を行い、図示していない硬貨処理装置が硬貨を硬貨収納部に収納する硬貨収納処理を行う。
【００５７】
図７は、ｓ６で紙幣処理装置が行う紙幣収納処理を示すフローチャートである。紙幣処理装置１は、紙幣搬送路２４に保留している紙幣の有無を判定する（ｓ３１）。紙幣処理装置１は、紙幣搬送路２４に保留している紙幣が無ければ、入金紙幣収納部１５に収納する紙幣がないと判断し、本処理を終了する。
【００５８】
また、紙幣処理装置１は、紙幣搬送路２４に保留している紙幣があると、この保留している全ての紙幣を、搬送部３が、紙幣搬送路２４に沿って接続点Ｄに搬送する。このとき、紙幣搬送路２４に保留している紙幣が複数枚であれば、搬送部３は、これらの紙幣を重ね合わせた状態で搬送する。搬送部３は、接続点Ｄに設けたフラッパを制御して、紙幣搬送路２４に沿って接続点Ｄに搬送されてきた紙幣を、紙幣搬送路２５に沿って搬送し、入金紙幣収納部１５に収納する（ｓ３２）。ｓ３２では、複数枚の紙幣を重ねた状態で紙幣搬送路２４に保留していた場合には、これらの紙幣を重ねた状態で入金紙幣収納部１５に搬送し、収納する。
【００５９】
また、紙幣処理装置１は、今回入金紙幣収納部１５に収納した紙幣毎に、その紙幣の属性情報を属性記憶部６に登録し（ｓ３３）、本処理を終了する。ｓ３２、ｓ３３にかかる処理の順番は、どちらが先であってもよいし、同時に行ってもよい。紙幣の属性情報については、識別部４がその紙幣についての識別を完了した以降のタイミングであれば、いつでも生成できる。
【００６０】
なお、硬貨処理装置の硬貨収納処理については、ここでは説明を省略する。また、ｓ７にかかる発券処理は、図示していない発券装置が行う。この発券処理についても、ここでは説明を省略する。
【００６１】
券売機は、ｓ６、ｓ７にかかる処理が完了すると、利用者に対して放出するつり銭の有無を判定する（ｓ８）。券売機は、ｓ８で利用者に対して放出するつり銭がないと判定すると、ｓ１に戻る。また、券売機は、ｓ８で利用者に対して放出するつり銭があると判定すると、貨幣放出処理を行い（ｓ９）、ｓ１に戻る。
【００６２】
ｓ８では、紙幣処理装置１がつり銭にかかる紙幣を放出する紙幣放出処理を行い、図示していない硬貨処理装置が硬貨をつり銭にかかる紙幣を放出する紙幣放出処理を行う。
【００６３】
図８は、ｓ９で紙幣処理装置が行う紙幣放出処理を示すフローチャートである。紙幣処理装置１は、利用者に対して、つり銭として放出する紙幣があるか否かを判定する（ｓ４１）。紙幣処理装置１は、利用者に対して、つり銭として放出する紙幣がないと判定すると、本処理を終了する。
【００６４】
紙幣処理装置１は、利用者に対して、つり銭として放出する紙幣があると判定すると、金種毎に、紙幣の放出枚数を決定する（ｓ４２）。例えば、つり銭として７千円放出する場合、５千円紙幣を１枚、千円紙幣を２枚に決定してもよいし、５千円紙幣を０枚、千円紙幣を７枚に決定してもよい。ｓ４２では、紙幣の合計枚数が最小枚数になるように、金種毎の紙幣の放出枚数を決定するのが好ましい。
【００６５】
紙幣処理装置１は、金種毎に、ｓ４２で決定した枚数の紙幣を紙幣搬送路２４に保留しているか否かを判定する（ｓ４３）。
【００６６】
紙幣処理装置１は、ｓ４３で金種毎に、ｓ４２で決定した枚数の紙幣を紙幣搬送路２４に保留していないと判定すると、搬送部３が、第１の出金紙幣収納部１３、または第２の出金紙幣収納部１４から不足している金種の紙幣を１枚繰り出して搬送する（ｓ４４）。ｓ４４では、第１の出金紙幣収納部１３から繰り出した紙幣は、紙幣搬送路２６に沿って接続点Ｂに搬送され、接続点Ｂを経由して紙幣搬送路２８に沿って接続点Ａに搬送され、さらに接続点Ａを経由して紙幣搬送路２２に沿って接続点Ｃへ搬送される。また、第２の出金紙幣収納部１４から繰り出した紙幣は、紙幣搬送路２７に沿って接続点Ｂに搬送され、接続点Ｂを経由して紙幣搬送路２８に沿って接続点Ａに搬送され、さらに接続点Ａを経由して紙幣搬送路２２に沿って接続点Ｃへ搬送される。
【００６７】
紙幣処理装置１は、ｓ４４で第１の出金紙幣収納部１３、または第２の出金紙幣収納部１４から繰り出した紙幣について、識別部４で真偽を識別する識別処理を行う（ｓ４５）。ｓ４５にかかる処理は、上述したｓ１２と同じであるので、ここでは説明を省略する。
【００６８】
紙幣処理装置１は、保留路である紙幣搬送路２４に紙幣を保留しているか否かを判定し（ｓ４６）、紙幣搬送路２４に紙幣を保留していなければ、今回識別した紙幣を紙幣搬送路２４に搬送する（ｓ４８）。また、紙幣処理装置１は、紙幣搬送路２４に紙幣を保留していると、この紙幣搬送路２４に保留している紙幣と、今回識別した紙幣とを重ね合わせる重ね合わせ処理を行い（ｓ４７）、ｓ４７で重ね合わせた紙幣を紙幣搬送路２４に搬送する（ｓ４８）。このｓ４６〜ｓ４８にかかる処理は、上述したｓ１５〜ｓ１７にかかる処理と同じである。
【００６９】
紙幣処理装置１は、今回識別部４で識別した紙幣が真券であるか否かを判定する（ｓ４９）。紙幣処理装置１は、今回ｓ４５で識別処理した紙幣の識別結果が真券であれば、ｓ４３に戻る。
【００７０】
また、紙幣処理装置１は、今回ｓ４５で識別処理した紙幣の識別結果が真券でなければ、この時点において、紙幣搬送路２４に保留している紙幣を、紙幣搬送路２４、２５に沿って搬送し、入金紙幣収納部１５に収納する（ｓ５０）。また、紙幣処理装置１は、今回入金紙幣収納部１５に収納した紙幣毎に、その紙幣の属性情報を属性記憶部６に登録し（ｓ５１）、ｓ４３に戻る。このｓ５０、ｓ５１にかかる処理は、上述したｓ３２、ｓ３３にかかる処理と同じである。
【００７１】
さらに、紙幣処理装置１は、ｓ４３で、金種毎に、ｓ４２で決定した枚数の紙幣を紙幣搬送路２４に保留していると判定すると、紙幣搬送路２４に保留している全ての紙幣を紙幣返却／放出口１２に放出し（ｓ５２）、本処理を終了する。
【００７２】
ｓ５２では、搬送部３は、紙幣搬送路２４に保留している全ての紙幣を、紙幣搬送路２４、紙幣搬送路２３に沿って接続点Ｃに搬送する。搬送部３は、接続点Ｃのフラッパを制御し、接続点Ｃに搬送されてきた紙幣を紙幣搬送路２９に沿って紙幣返却／放出口１２に搬送する。
【００７３】
なお、硬貨処理装置のつり銭にかかる硬貨放出処理については、ここでは説明を省略する。
【００７４】
このように、この例にかかる紙幣処理装置１は、第１の出金紙幣収納部１３、または第２の出金紙幣収納部１４から繰り出した紙幣であって、識別部４において真券であると識別されなかった紙幣を紙幣返却／放出口１２から放出することなく、入金紙幣収納部１５に収納する。したがって、偽券、または偽券の疑いがある紙幣を適正に管理することができるとともに、偽券が流通するのを防止できる。
【００７５】
また、紙幣処理装置１は、入金紙幣収納部１５に収納している紙幣毎に、その紙幣の属性を示す属性情報を属性記憶部６に記憶しているので、この属性情報を確認することにより、入金紙幣収納部１５に収納されている紙幣の中に、偽券があるかないかの確認が行える。また、識別不明券についても、折れや汚れ等によって真券であると識別されなかった紙幣であるか、偽券であるかの確認が簡単に行える。
【００７６】
また、紙幣処理装置１は、上位装置（この例では券売機）からの要求に応じて、属性記憶部６に記憶している属性情報を上位装置に出力する構成にすればよい。この場合、上位装置において、属性情報を表示器に表示したり、プリンタに印刷出力したりすることにより、この属性情報を管理者に確認させることができる。
【００７７】
また、紙幣処理装置１は、上位装置等から新たに発見された偽券の記番号が入力されたときには、その偽券の記番号を偽券記番号記憶部５に追加記憶する構成にすればよい。
【００７８】
また、この例にかかる紙幣処理装置１は、入金紙幣収納部１５とは別に、真券でないと識別された紙幣を収納するリジェクト紙幣収納部を設けない構成であるので、装置本体が大型化するのを抑えられる。
【００７９】
また、上記の例では、識別部４は、真券と識別できた、偽券と識別できた、真券であるとも偽券であるとも識別できなかった、を紙幣の識別結果とする構成であるとしたが、真券と識別できた、または真券と識別できなかった、を識別結果とする構成であってもよい。
【００８０】
また、この発明にかかる紙葉類処理装置は、上述した券売機に限らず、乗車券以外の商品を販売する自動販売機にも適用可能であるし、外貨を両替する外貨両替機、金券を紙幣に交換する金券交換機等にも利用できる。例えば、外貨両替機に適用した場合は、紙幣投入口１１において、円、ドル、元等の通貨にかかる紙幣の投入を受け付け、予め定めた通貨の紙幣を紙幣返却／放出口１２から放出する。金券交換機に適用した場合は、紙幣投入口１１において、金券の投入を受け付け、予め定めた通貨の紙幣を紙幣返却／放出口１２から放出する構成であってもよいし、反対に、紙幣投入口１１において、紙幣の投入を受け付け、予め定めた金券を紙幣返却／放出口１２から放出する構成であってもよい。
【符号の説明】
【００８１】
１…紙幣処理装置
２…制御部
３…搬送部
４…識別部
５…偽券記番号記憶部
６…属性記憶部
７…入出力部
１１…紙幣投入口
１２…紙幣返却／放出口
１３…第１の出金紙幣収納部
１４…第２の出金紙幣収納部
１５…入金紙幣収納部
２１〜２９…紙幣搬送路
【図１】
0006690180.tif 000002
【図２】
0006690180.tif 000003
【図３】
0006690180.tif 000004
【図４】
0006690180.tif 000005
【図５】
0006690180.tif 000006
【図６】
0006690180.tif 000007
【図７】
0006690180.tif 000008
【図８】
0006690180.tif 000009